(57)【要約】【課題】簡素な構造で、ベルトの引き出しをロックすることができるベルトロック機構を提供する。【解決手段】ベースプレート４１０と、ベースプレートに回動可能に支持された回動部材４２０と、回動部材に付勢力を与える弾性部材４３０とを備え、ベースプレートは、ベルト挿通用のスリット４１１と、スリットに隣接した固定摩擦部４１２，４１３とを備え、回動部材は可動摩擦部４２２Ａを有していて、回動部材が弾性部材によって付勢されることで、可動摩擦部がスリット及び固定摩擦部に押し当てられて、ベースプレートの裏側からスリットを通して引き出されたベルトが可動摩擦部と固定摩擦部とに挟み込まれてロックされ、弾性部材の付勢力に抗して回動部材を回動させて可動摩擦部をスリット及び固定摩擦部から離れるように移動させると、ベルトのロックが解除される。【選択図】図７
2007237814.tif 000002
【特許請求の範囲】
【請求項１】
シート本体にガードを揺動可能に取り付け、該ガードに挿通してガード外側に引き出したベルトの両端を上記シート本体に固定すると共に、上記ガード内でこのベルトをロックするベルトロック機構であって、
ベースプレートと、該ベースプレートに回動可能に支持された回動部材と、該回動部材に付勢力を与える弾性部材と、を備えており、
上記ベースプレートは、ベルト挿通用のスリットと、該スリットに隣接して配設した固定摩擦部と、を有し、
上記回動部材は、可動摩擦部を有していて、
上記回動部材が上記弾性部材によって付勢されることで、上記可動摩擦部が上記スリット及びそれに隣接した固定摩擦部に押し当てられて、上記ベースプレートの裏側から上記スリットを通して引き出された上記ベルトが上記可動摩擦部と上記固定摩擦部とに挟み込まれてロックされ、
上記弾性部材の付勢力に抗して上記回動部材を回動させ上記可動摩擦部を上記スリット及び上記固定摩擦部から離れるように移動させると、上記ベルトのロックが解除されることを特徴とする、ベルトロック機構。
【請求項２】
シート本体にガードを揺動可能に取り付け、該ガードに挿通してガード外側に引き出したベルトの両端を上記シート本体に固定すると共に、上記ガード内でこのベルトをロックするベルトロック機構であって、
ベースプレートと、該ベースプレートに回動可能に支持された回動部材と、該回動部材に付勢力を与える弾性部材と、を有し、
上記ベースプレートは、ベルト挿通用のスリットと、該スリットに隣接してプレート表面から膨出し上記回動部材を回動可能に支持する支持部と、該支持部に対して上記スリットを挟んで対向する位置でプレート表面から膨出し斜面を有する傾斜部と、を有し、
上記回動部材は、摩擦部を有していて、
上記回動部材が上記弾性部材によって付勢されることで、上記摩擦部が上記スリット及びそれに隣接した支持部並びに傾斜部に押し当てられて、上記ベースプレートの裏側から上記スリットを通して引き出された上記ベルトが上記摩擦部と上記スリットに隣接した支持部並びに傾斜部とに挟み込まれてロックされ、
上記弾性部材の付勢力に抗して上記回動部材を回転させて上記摩擦部を上記スリット及びそれに隣接した支持部並びに傾斜部から離れるように移動させると、上記ベルトのロックが解除されることを特徴とする、ベルトロック機構。
【請求項３】
前記ガードが、ロック機構収容凹部と、該ロック機構収容凹部を閉塞するリッドと、を備え、
前記ベースプレートと前記回動部材と前記弾性部材とが、上記ロック機構収容凹部と上記リッドとで画成される空間内に収容されており、
前記回動部材に突出部が形成され、前記弾性部材が上記突出部の裏面と前記ベースプレートの表面とに圧縮した状態で挟持され、
ガード表面に上記突出部が現れるように窓部が上記リッドに開設されていて、
前記弾性部材の付勢力に抗して上記突出部を押すことで前記回動部材が回動して、上記ベルトのロックが解除されることを特徴とする、請求項１又は２に記載のベルトロック機構。
【請求項４】
前記弾性部材がコイル状のバネであることを特徴とする、請求項１乃至３の何れかに記載のベルトロック機構。
【請求項５】
前記固定摩擦部が前記ベースプレートと一体に形成されていることを特徴とする、請求項１に記載のベルトロック機構。
【請求項６】
座部と背もたれ部とを備えたシート本体と、上記座部に着座した子供の動きを規制するガードと、上記シート本体に両端を固定されたベルトと、を備えたシートであって、
請求項１乃至５の何れかに記載のベルトロック機構を備えた、シート。
【請求項７】
下部に複数の走行輪を備えたカート本体と該カート本体に支持されたチャイルドシートとを備えたショッピングカートであって、
上記チャイルドシートが、座部と背もたれ部とを備えたシート本体と、該シート本体に揺動可能に取り付けたガードと、上記シート本体に両端を固定されていて中間部位が上記ガードに挿通されてガード外側に引き出されたベルトと、上記ガード内でベルトをロックするベルトロック機構と、を備え、
上記ベルトロック機構が、ベースプレートと、該ベースプレートに回動可能に支持された回動部材と、該回動部材に付勢力を与える弾性部材と、を備えており、
上記ベースプレートは、ベルト挿通用のスリットと、該スリットに隣接して配設した固定摩擦部と、を有し、
上記回動部材は、可動摩擦部を有していて、
上記回動部材が上記弾性部材によって付勢されることで、上記可動摩擦部が上記スリット及びそれに隣接した固定摩擦部に押し当てられて、上記ベースプレートの裏側から上記スリットを通して引き出された上記ベルトが上記可動摩擦部と上記固定摩擦部とに挟み込まれてロックされ、
上記弾性部材の付勢力に抗して上記回動部材を回動させ上記可動摩擦部を上記スリット及び上記固定摩擦部から離れるように移動させると、上記ベルトのロックが解除されることを特徴とする、ショッピングカート。
【請求項８】
下部に複数の走行輪を備えたカート本体と該カート本体に支持されたチャイルドシートとを備えたショッピングカートであって、
上記チャイルドシートが、座部と背もたれ部とを備えたシート本体と、該シート本体に揺動可能に取り付けたガードと、上記シート本体に両端を固定されていて中間部位が上記ガードに挿通されてガード外側に引き出されたベルトと、上記ガード内でベルトをロックするベルトロック機構と、を備え、
上記ベルトロック機構が、ベースプレートと、該ベースプレートに回動可能に支持された回動部材と、該回動部材に付勢力を与える弾性部材と、を備えており、
上記ベースプレートは、ベルト挿通用のスリットと、該スリットに隣接してプレート表面から膨出し上記回動部材を回動可能に支持する支持部と、該支持部に対して上記スリットを挟んで対向する位置でプレート表面から膨出し斜面を有する傾斜部と、を有し、
上記回動部材は、摩擦部を有していて、
上記回動部材が上記弾性部材によって付勢されることで、上記摩擦部が上記スリット及びそれに隣接した支持部並びに傾斜部に押し当てられて、上記ベースプレートの裏側から上記スリットを通して引き出された上記ベルトが上記摩擦部と上記スリットに隣接した支持部並びに傾斜部とに挟み込まれてロックされ、
上記弾性部材の付勢力に抗して上記回動部材を回転させて、上記摩擦部を上記スリット及びそれに隣接した支持部並びに傾斜部から離れるように移動させると、上記ベルトのロックが解除されることを特徴とする、ショッピングカート。
【請求項９】
前記ガードが、ロック機構収容凹部と、該ロック機構収容凹部を閉塞するリッドと、を備え、
前記ベースプレートと前記回動部材と前記弾性部材とが、上記ロック機構収容凹部と上記リッドとで画成される空間内に収容されており、
前記回動部材に突出部が形成され、前記弾性部材が上記突出部の裏面と前記ベースプレートの表面とに圧縮した状態で挟持され、
ガード表面に上記突出部が現れるように窓部が上記リッドに開設されていて、
前記弾性部材の付勢力に抗して上記突出部を押すことで前記回動部材が回動して、上記ベルトのロックが解除されることを特徴とする、請求項７又は８に記載のショッピングカート。
【請求項１０】
前記弾性部材がコイル状のバネであることを特徴とする、請求項７乃至９の何れかに記載のショッピングカート。
【請求項１１】
前記固定摩擦部が前記ベースプレートと一体に形成されていることを特徴とする、請求項７に記載のショッピングカート。
【発明の詳細な説明】
【技術分野】
【０００１】
本発明は、子供用シートのシートベルトをロックするベルトロック機構に係り、特に、シート本体に揺動可能に取り付けたガード内でベルトをロックする、ガードと一体型のベルトロック機構と、このベルトロック機構を備えたシート及びそれを備えたショッピングカートに関するものである。
【背景技術】
【０００２】
近年のスーパーマーケットや大型量販店などの店舗施設においては、買い物客が購入する商品を搬送するためのショッピングカートが用意され、買い物客はショッピングカートを押しながら店舗施設内を移動し、買い物かごに商品を入れてショッピングを行う。このように、ショッピングカートに多数の商品を積載できるので、買い物かごを持って移動する場合に比べて買い物客は楽にショッピングを行える。
【０００３】
さらに、最近では、特許文献１に示すように、チャイルドシートを装備したショッピングカートも普及している。また、チャイルドシートに子供を載せた状態でショッピングカートを移動させるため、子供がチャイルドシートから落下するのを防止するために、チャイルドシートに脱落防止用のガードを備えたショッピングカートも普及している（特許文献２参照）。
【０００４】
しかし、特許文献２に示すショッピングカートのチャイルドシートでは、脱落防止用のガードがチャイルドシートにビスや溶接等で固定されているため、子供をチャイルドシートに着座させるときやチャイルドシートから子供を降ろす際に、子供の足などがガードに引っ掛かったりして取り扱いが不便であった。
【０００５】
そこで、図１２に示すように、子供をチャイルドシートに着座させたり降ろしたりする際に、脱落防止用のガードが移動して、チャイルドシートと脱落防止用のガードとの間が拡開するようにしたチャイルドシート５０が開発された。図１２に示すチャイルドシート５０は、シート本体５１と、シート本体５１に揺動可能に取り付けたガード５２とを備えている。図中のＦｒは前方を、Ｕｐは上方を、Ｗは横幅方向を示す。
シート本体５１は、合成樹脂により形成されており、子供を収容する収容部５３を備えている。収容部５３は、図示するように、背もたれ部５３Ａ、座部５３Ｂ、肘置きガード部５３Ｃとが一体に形成されており、それらに囲まれて収容空間Ｓが画成されている。
【０００６】
ガード５２は、収容部５３に入った子供がチャイルドシート５０から脱落するのを防止する等のためのものであり、図１２に示すように、腹当接部５２Ａと、腹当接部５２Ａの下端から下方へ延出した股当接部５２Ｂと、股当接部５２Ｂの先端に形成された回転部５２Ｃと、から構成され、この回転部５２Ｃは、シート本体５１の座部５３Ｂの前縁に凹設された受容部５５に回転可能に収容されている。
【０００７】
ガード５２と背もたれ部５３Ａとに通した腰ベルト５４で子供の胴体を拘束するループを形成し、ベルト５４の長さを調節して、座部５３Ｂに着座した子供がチャイルドシート５０から脱落するような動作を規制するようになっている。ガード５２には、図に示すようにベルトの引き出しをロックするベルトロック機構が内蔵されている。このベルトロック機構は、ガードの表面から突出したボタンを押すことで、ロック片がベルトの拘束を解除して、座部５３Ｂに着座した子供の胴回りに巻回するベルトの長さを調節することができるようになっている。
【特許文献１】特開２００２−２２００５５号公報
【特許文献２】特開２００２−２９４２４号公報
【発明の開示】
【発明が解決しようとする課題】
【０００８】
しかし、ガード５２に内蔵されたベルトロック機構６０は、図１３に示すように、複数のプレート６１〜６３、ブラケット６４，６５、ボタン６６、ボタン６６を支持する金具６７、リンク材６８，６９などにより構成されているため、構造が複雑化して組立作業も煩雑となり、また複数の部材を必要とするため製造コストも嵩んでいた。
【０００９】
本発明は、以上の点に鑑み、簡素な構造で、ベルトの引き出しをロックすることができるベルトロック機構と、それを備えたシート、並びにショッピングカートを提供することを目的とする。
【課題を解決するための手段】
【００１０】
上記目的を達成するために、本発明の一構成は、シート本体にガードを揺動可能に取り付け、ガードに挿通してガード外側に引き出したベルトの両端をシート本体に固定すると共に、ガード内でこのベルトをロックするベルトロック機構であって、ベースプレートと、ベースプレートに回動可能に支持された回動部材と、回動部材に付勢力を与える弾性部材と、を備えており、ベースプレートは、ベルト挿通用のスリットとスリットに隣接して配設した固定摩擦部とを有し、回動部材は可動摩擦部を有していて、回動部材が弾性部材によって付勢されることで、可動摩擦部がスリット及びそれに隣接した固定摩擦部に押し当てられて、ベースプレートの裏側からスリットを通して引き出されたベルトが可動摩擦部と固定摩擦部とに挟み込まれてロックされ、弾性部材の付勢力に抗して回動部材を回動させ可動摩擦部をスリット及び固定摩擦部から離れるように移動させると、ベルトのロックが解除されることを特徴としている。
【００１１】
上記目的を達成するために、本発明の他の構成は、シート本体にガードを揺動可能に取り付け、ガードに挿通してガード外側に引き出したベルトの両端をシート本体に固定すると共に、ガード内でこのベルトをロックするベルトロック機構であって、ベースプレートと、ベースプレートに回動可能に支持された回動部材と、回動部材に付勢力を与える弾性部材と、を有し、ベースプレートは、ベルト挿通用のスリットと、スリットに隣接してプレート表面から膨出し回動部材を回動可能に支持する支持部と、支持部に対してスリットを挟んで対向する位置でプレート表面から膨出し斜面を有する傾斜部と、を有し、回動部材は摩擦部を有していて、回動部材が弾性部材によって付勢されることで、摩擦部がスリット及びそれに隣接した支持部並びに傾斜部に押し当てられて、ベースプレートの裏側からスリットを通して引き出されたベルトが摩擦部とスリットに隣接した支持部並びに傾斜部とに挟み込まれてロックされ、弾性部材の付勢力に抗して回動部材を回転させて摩擦部をスリット及びそれに隣接した支持部並びに傾斜部から離れるように移動させると、ベルトのロックが解除されることを特徴としている。
【００１２】
本発明のベルトロック機構において、ガードは、ロック機構収容凹部と、ロック機構収容凹部を閉塞するリッドと、を備え、ベースプレートと回動部材と弾性部材とが、ロック機構収容凹部とリッドとで画成される空間内に収容されており、回動部材に突出部が形成され、弾性部材が突出部の裏面とベースプレートの表面とに圧縮した状態で挟持され、ガード表面に突出部が現れるように窓部がリッドに開設されていて、弾性部材の付勢力に抗して突出部を押すことで回動部材が回動して、ベルトのロックが解除される。
弾性部材は、好ましくはコイル状のバネであり、固定摩擦部はベースプレートと一体に形成されている。
【００１３】
上記目的を達成するために、本発明のシートは、座部と背もたれ部とを備えたシート本体と、座部に着座した子供の動きを規制するガードと、シート本体に両端を固定されたベルトと、を備えていて、上記したベルトロック機構を備えたことを特徴としている。
【００１４】
上記目的を達成するために、本発明のショッピングカートの一構成は、下部に複数の走行輪を備えたカート本体とカート本体に支持されたチャイルドシートとを備えていて、チャイルドシートが、座部と背もたれ部とを備えたシート本体と、シート本体に揺動可能に取り付けたガードと、シート本体に両端を固定されていて中間部位がガードに挿通されてガード外側に引き出されたベルトと、ガード内でベルトをロックするベルトロック機構と、を備え、ベルトロック機構が、ベースプレートと、ベースプレートに回動可能に支持された回動部材と、回動部材に付勢力を与える弾性部材と、を備えており、ベースプレートは、ベルト挿通用のスリットと、スリットに隣接して配設した固定摩擦部と、を有し、回動部材は可動摩擦部を有していて、回動部材が弾性部材によって付勢されることで、可動摩擦部がスリット及びそれに隣接した固定摩擦部に押し当てられて、ベースプレートの裏側からスリットを通して引き出されたベルトが可動摩擦部と固定摩擦部とに挟み込まれてロックされ、弾性部材の付勢力に抗して回動部材を回動させ可動摩擦部をスリット及び固定摩擦部から離れるように移動させると、ベルトのロックが解除されることを特徴としている。
【００１５】
本発明のショッピングカートの他の構成は、下部に複数の走行輪を備えたカート本体とカート本体に支持されたチャイルドシートとを備えていて、チャイルドシートが、座部と背もたれ部とを備えたシート本体と、シート本体に揺動可能に取り付けたガードと、シート本体に両端を固定されていて中間部位がガードに挿通されてガード外側に引き出されたベルトと、ガード内でベルトをロックするベルトロック機構と、を備え、ベルトロック機構が、ベースプレートと、ベースプレートに回動可能に支持された回動部材と、回動部材に付勢力を与える弾性部材と、を備えており、ベースプレートは、ベルト挿通用のスリットと、スリットに隣接してプレート表面から膨出し回動部材を回動可能に支持する支持部と、支持部に対してスリットを挟んで対向する位置でプレート表面から膨出し斜面を有する傾斜部と、を有し、回動部材は摩擦部を有していて、回動部材が弾性部材によって付勢されることで、摩擦部がスリット及びそれに隣接した支持部並びに傾斜部に押し当てられて、ベースプレートの裏側からスリットを通して引き出されたベルトが摩擦部とスリットに隣接した支持部並びに傾斜部とに挟み込まれてロックされ、弾性部材の付勢力に抗して回動部材を回転させて、摩擦部をスリット及びそれに隣接した支持部並びに傾斜部から離れるように移動させると、ベルトのロックが解除されることを特徴としている。
【００１６】
前記ガードは、好ましくは、ロック機構収容凹部と、ロック機構収容凹部を閉塞するリッドと、を備え、ベースプレートと回動部材と弾性部材とが、ロック機構収容凹部とリッドとで画成される空間内に収容されており、回動部材に突出部が形成され、弾性部材が突出部の裏面とベースプレートの表面とに圧縮した状態で挟持され、ガード表面に突出部が現れるように窓部がリッドに開設されていて、弾性部材の付勢力に抗して突出部を押すことで回動部材が回動して、ベルトのロックが解除される。
【００１７】
前記弾性部材は、好ましくはコイル状のバネであり、また、固定摩擦部はベースプレートと一体に形成されている。
【発明の効果】
【００１８】
本発明によれば、簡素な構造にも拘わらず、好適にガード使用時におけるベルトの引き出しを規制して、調節したベルトの長さを一定に維持することができる。
また、本発明のベルトロック機構は、図１３に示す従来のベルトロック機構６０と比較して、品質安定性を確保しながら、構成部品点数を低減することができるので製造コストが安価となる共に、組立も簡単であるので、従来の複雑なベルトロック機構６０と異なり、製造作業も簡素化することができる。
【発明を実施するための最良の形態】
【００１９】
以下、図面に基づいて、本発明の実施形態を説明する。
図１は本発明の実施形態に係るショッピングカート１０の前方斜視図、図２は図１のショッピングカート１０の後方斜視図、図３は図１のショッピングカート１０の正面図、図４は図１のショッピングカート１０の側面図である。図中のＦｒはショッピングカート前方を、Ｕｐは上方を、Ｗはショッピングカートの横幅方向を示す。これらの図に示すように、ショッピングカート１０は、カート本体１００とそれに取り付けた走行輪２００とカート本体１００に支持されたチャイルドシート３００とを備えている。
【００２０】
ショッピングカート１０を構成するカート本体１００は、複数の鋼製等のパイプを折り曲げ、それらを相互に溶接により接合したフレームとして構成されている。具体的には、カート本体１００は、ベースフレーム１１０と、ベースフレーム１１０から立設していて主としてチャイルドシート３００を支持するシート支持フレーム１２０と、このシート支持フレーム１２０の後側に配設されていると共にベースフレーム１１０から立設して使用者がショッピングカート１０を押す際に把持するハンドルフレーム１３０と、から構成されている。
【００２１】
各フレーム１１０，１２０，１３０の詳細を下記に説明する。
ベースフレーム１１０は、「ハ」の字状に互いの間隔が前方に行くにつれて狭くなるように水平に並設した一対の直線状の棒材１１１Ｒ，１１１Ｌと、これらの各棒材１１１Ｒ，１１１Ｌの前端を連結するように横幅水平方向に直線状に延出した第１連結棒材１１２と、から構成されている。
【００２２】
ベースフレーム１１０は、例えば、一本の棒状の鋼材を折り曲げて、一対の棒材１１１Ｒ，１１１Ｌと第１連結棒材１１２とが一体となって構成されてもよいし、一対の棒材１１１Ｒ，１１１Ｌと第１連結棒材１１２とを別々に製造し、それらを接合して一体物として構成されたものでもよい。各棒材１１１Ｒ，１１１Ｌと第１連結棒材１１２とで形成されるコーナーは円弧状に湾曲して形成されている。
【００２３】
ベースフレーム１１０には、左右の棒材１１１Ｒ，１１１Ｌの後端に近接した位置において、これら左右の棒材１１１Ｒ，１１１Ｌに第１架設材１１４が架設されている。この第１架設材１１４は、左右の棒材１１１Ｒ，１１１Ｌに接合されていて上方へ立ち上がった起立部１１４Ｒ，１１４Ｌと、各起立部１１４Ｒ，１１４Ｌの上端部を連結するように横幅水平方向に直線状に延出した横部１１４Ｃと、から構成されている。上記ベースフレーム１１０にはまた、第１連結棒材１１２の内周面と第１架設材１１４とに掛け渡すように、また、左右の棒材１１１Ｒ，１１１Ｌの先端寄りの内周面と第１架設材１１４とに掛け渡すように、複数の金属棒部１１５が配設されている。
【００２４】
複数の金属棒部１１５は互いに略平行に前後方向に延出していて、その前端又は後端が隣接する金属棒の前端又は後端と繋がっているように、一本の金属棒を前後に複数回折り返して形成されたものである。また、各金属棒部１１５は、先端から中間部位までが後方にいくにつれてゆるやかに高くなるよう傾いた緩斜部１１５Ａと、緩斜部１１５Ａの後端から後方に向けて急に上向きに傾斜した段差部１１５Ｂと、段差部１１５Ｂの後端から後方に向けて水平に延出した水平部１１５Ｃと、を備えていて、これらの金属棒部１１５上に荷物を載置することができるようになっている。特に、複数の金属棒部１１５の水平部１１５Ｃは、相互に協働して買い物かご（図示省略）を載置する台座として機能する。各水平部１１５Ｃに載置した買い物かごが後方に移動して落下するのを防止するために、隣接する金属棒部１１５同士の連結した後端部が斜め後方に傾斜して、ストッパー１１５Ｓが形成されている。各金属棒部１１５の水平部１１５Ｃは、前述の第１架設材１１４に固定されて下から支持されている。各金属棒部１１５の緩斜部１１５Ａも、横幅水平方向に直線状に延出した第２架設材１１７に溶接によって接合されていて、各金属棒部１１５の剛性が高められている。
【００２５】
シート支持フレーム１２０は、ベースフレーム１１０の左右の各棒材１１１Ｒ，１１１Ｌの後端から各棒材１１１Ｒ，１１１Ｌの全長の１／４程度の距離前方に離れた位置に下部が固定されていて上方へ起立した第１垂直棒材１２１Ｒ，１２１Ｌと、各第１垂直棒材１２１Ｒ，１２１Ｌの上端から斜め前方へ延出した第１傾斜棒材１２２Ｒ，１２２Ｌと、各第１傾斜棒材１２２Ｒ，１２２Ｌの上端を連結するように横幅水平方向に直線状に延出した第２連結棒材１２３と、から構成されている。左右の各第１傾斜棒材１２２Ｒ，１２２Ｌは、図３に示すように、上方にいくにつれて相互の間隔が狭くなるように、幅方向内側にも緩やかに傾斜している。
【００２６】
シート支持フレーム１２０は、例えば、一本の棒状の鋼材を折り曲げて、一対の第１垂直棒材１２１Ｒ，１２１Ｌ，一対の第１傾斜棒材１２２Ｒ，１２２Ｌ，第２連結棒材１２３とが一体となって構成されてもよく、一対の第１垂直棒材１２１Ｒ，１２１Ｌ，一対の第１傾斜棒材１２２Ｒ，１２２Ｌ，第２連結棒材１２３とを別々に製造し、それらを接合した一体物として構成されてもよい。各第１垂直棒材１２１Ｒ，１２１Ｌと第１傾斜棒材１２２Ｒ，１２２Ｌとで形成されるコーナーと、第１傾斜棒材１２２Ｒ，１２２Ｌと第２連結棒材１２３とで形成されるコーナーも円弧状に湾曲して形成されている。
【００２７】
ハンドルフレーム１３０は、ベースフレーム１１０の左右の各棒材１１１Ｒ，１１１Ｌの後端に下部が接合していて上方へ起立した第２垂直棒材１３１Ｒ，１３１Ｌと、各第２垂直棒材１３１Ｒ，１３１Ｌの上端から斜め前方へ延出した第２傾斜棒材１３２Ｒ，１３２Ｌと、各第２傾斜棒材１３２Ｒ，１３２Ｌの上端から斜め後方へ延出した第３傾斜棒材１３３Ｒ，１３３Ｌと、各第３傾斜棒材１３３Ｒ，１３３Ｌの上端を連結するように横幅水平方向に直線状に延出した第３連結棒材１３４と、から構成されている。左右の各第２傾斜棒材１３２Ｒ，１３２Ｌ及び第３傾斜棒材１３３Ｒ，１３３Ｌは、図３に示すように、上方にいくにつれて相互の間隔が狭くなるように、幅方向内側にも緩やかに傾斜している。
【００２８】
ハンドルフレーム１３０も、例えば、一本の棒状の鋼材を折り曲げて、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とが一体となって構成されてもよいし、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とを別々に製造し、それらを接合した一体物として構成されたものでもよい。
【００２９】
また、各第２垂直棒材１３１Ｒ，１３１Ｌと第２傾斜棒材１３２Ｒ，１３２Ｌとで形成されるコーナーと、第２傾斜棒材１３２Ｒ，１３２Ｌと第３傾斜棒材１３３Ｒ，１３３Ｌとで形成されるコーナーと、第３傾斜棒材１３３Ｒ，１３３Ｌと第３連結棒材１３４とで形成されるコーナーも、円弧状に湾曲して形成されている。第２傾斜棒材１３２Ｒ，１３２Ｌと第３傾斜棒材１３３Ｒ，１３３Ｌとで形成されるコーナーは、シート支持フレーム１２０における第１傾斜棒材１２２Ｒ，１２２Ｌと第２連結棒材１２３とで形成されるコーナーに近接した後方位置に配置されている。
【００３０】
シート支持フレーム１２０の第２連結棒材１２３に近接した後方の位置で、ハンドルフレーム１３０の第２傾斜棒材１３２Ｒ，１３２Ｌと第３傾斜棒材１３３Ｒ，１３３Ｌとで形成される左右のコーナー同士を架設するように、第３横架材１３５が設けられている。この第３横架材１３５は、シート支持フレーム１２０の第２連結棒材１２３の後方で、第２連結棒材１２３と略平行状態で延びている。
【００３１】
ベースフレーム１１０の左右の棒材１１１Ｒ，１１１Ｌと第１連結棒材１１２とで形成されるコーナーの下側には、それぞれ走行輪２００，２００が取り付けられており、また、ハンドルフレーム１３０の各第２垂直棒材１３１Ｒ，１３１Ｌの下端部にも走行輪２００，２００が取り付けられている。これにより、ショッピングカート１０は、前輪２つと後輪２つとを備える構造となり、各車輪が転動するとともに、各車輪が鉛直軸まわりに３６０度回転可能に支持されていることで、全ての方向に移動可能で且つ旋回可能になっている。
【００３２】
シート支持フレーム１２０の第２連結棒材１２３と、ハンドルフレーム１３０の第３横架材１３５との上にはチャイルドシート３００の下部が固定されている。このチャイルドシート３００は前向き状態でカート本体１００に装着されている。チャイルドシート３００は、シート本体３１０と、シート本体３１０に揺動可能に取り付けたガード３５０とを備えている。
【００３３】
シート本体３１０は合成樹脂により形成されており、子供を収容する収容部３１１と、この収容部３１１の背面を覆うカバー３１２とから構成されている。収容部３１１は、図示するように、背もたれ部３１１Ａ、座部３１１Ｂ、肘置きガード部３１１Ｃとで一体に形成されており、それらに囲まれて収容空間Ｓが画成されている。なお、背もたれ部３１１Ａの子供の頭部が当接する部位には、ヘッドサポート３７０が設けられている。
【００３４】
ガード３５０は、収容部３１１に入った子供がチャイルドシート３００から脱落するのを防止するためのものであり、ガード３５０と背もたれ部３１１Ａとに通した腰ベルト３８０で子供の胴体を拘束するループを形成し、ベルト３８０の長さを調節して、座部３１１Ｂに着座した子供がチャイルドシートから脱落するような動作を規制する。
【００３５】
上記チャイルドシート３００には、リクライニング機構が内蔵されており、チャイルドシート３００の背面のカバー上部に取り付けられているレバー３９０を操作することで、チャイルドシート自体の傾斜角度を変えることができる。
【００３６】
ショッピングカート１０の先端部、即ちベースフレーム１１０の第１連結棒材１１２には、壁などの障害物との衝突を緩和するために、ゴムなどの緩衝部材１１８が装着されている。また、ハンドルフレーム１３０の金属製の第３連結棒材１３４には、使用者がハンドルフレーム１３０を握り易くするために、合成樹脂製のグリップ１３８が装着されている。
【００３７】
このように構成されたショッピングカート１０は、後方から前方にいくにつれて幅が狭くなるとともに、高さも前方に行くにつれて低くなるように構成されている。このため、ショッピングカート１０は、他のショッピングカート１０の後方から前後に重ねること、即ちネスティングを行えるようになっている。即ち、不使用時に他のショッピングカート１０の後方から別のショッピングカート１０を近づけると、後方のショッピングカート１０の前端部、即ちベースフレーム１１０の前側部分が、前方のショッピングカート１０の拡開したベースフレーム１１０の後部内に進入する。これにより、複数のショッピングカート１０を前後にネスティングを行えることができる。
【００３８】
本実施形態に係るショッピングカート１０は以上のように構成され、ガード３５０を前方へ移動させてシート本体３１０とガード３５０との間を拡開させたときに、前方へ移動させたガード３５０をその位置に保持することができることを特徴としている。
【００３９】
このため、本発明の実施形態に係るショッピングカートのガード３５０は、図５に示すように、腹当接部３５１と、腹当接部３５１の下端から下方へ延出した股当接部３５２と、股当接部３５２の先端に形成された円柱状の回転部３５３と、から構成されている。回転部３５３には、軸３５４を嵌入する貫通孔３５３Ａが形成されており、さらに、円周表面上に凹部３５３Ｂが形成されている。この凹部３５３Ｂには、図５に示すように、弾性変形して撓み可能な回転止め３５５が装着されるようになっている。
【００４０】
回転止め３５５は断面略Ｕ状に形成されていて、回転部３５３の凹部３５３Ｂの平面に当接する平板状のベース部３５５Ａと、ベース部３５５Ａの底面から突出して凹部３５３Ｂの孔３５３Ｃに嵌入する凸部３５５Ｂと、ベース部３５５Ａの縁部から円弧状に延出した湾曲部３５５Ｃと、湾曲部３５５Ｃの縁部から延出してベース部３５５Ａに対して傾斜している傾斜部３５５Ｄと、傾斜部３５５Ｄの先端に形成されている突起部３５５Ｅと、から構成されている。上記回転止め３５５のベース部３５５Ａと凸部３５５Ｂと湾曲部３５５Ｃと傾斜部３５５Ｄと突起部３５５Ｅとは、樹脂にて一体物として形成されている。このため、回転止め３５５は、傾斜部３５５Ｄが湾曲部３５５Ｃを介してベース部３５５Ａ側方向に、即ち図示する矢印α方向に弾性変形して撓むようになっている。
【００４１】
このように構成されたガード３５０の回転部３５３は、シート本体３１０の座部３１１Ｂの前縁に凹設された受容部３６０に回転可能に支持される。
ここで、図６はシート本体３１０の座部３１１Ｂの前縁に凹設された受容部３６０の周辺を示す斜視図である。受容部３６０は、断面半円弧状の湾曲部３６１とその両側に設けられた側壁３６２，３６２とから形成されており、これら湾曲部３６１と側壁３６２，３６２とで画成される領域にガード３５０の回転部３５３が受容される。受容部３６０の各側壁３６２，３６２には、軸３５４を嵌入する貫通孔３６３が形成されている。
【００４２】
受容部３６０の湾曲部３６１には、背もたれ部３１１Ａ寄りの位置に回転止め３５５の突起部３５５Ｅが嵌入するロック溝３６５が形成されており、さらに、湾曲部３６１にはロック溝３６５から前方側へ離れた位置に回転止め３５５の突起部３５５Ｅよりも幅広に形成された凹部３６７が凹設されている。
このように構成された受容部３６０にガード３５０の回転部３５３が共通の軸３５４にて支持されて、ガード３５０が揺動可能にシート本体３１０に支持されるようになっている。
【００４３】
次に、本実施形態に係るショッピングカート１０のさらなる特徴を説明する。本実施形態に係るガード３５０には、ベルト３８０をロックするベルトロック機構が内蔵されている。
図７及び図８はガード３５０の分解斜視図で、図９はガード３５０の断面図である。これらの図に示すように、ガード３５０の腹当接部３５１には、前方に開放したロック機構収容凹部３５６が形成されている。このロック機構収容凹部３５６は、その開口縁形状と同形の輪郭を有するリッド３５７により閉塞されるようになっている。このロック機構収容凹部３５６とリッド３５７とで空間Ｓ’が画成され、この空間Ｓ’内にベルトロック機構４００が内蔵されている。
【００４４】
ロック機構収容凹部３５６には、ベルト３８０を挿通する挿通孔３５６Ａ，３５６Ｂが一対、所定の間隔をおいて開設されており、リッド３５７には、ベルト引き出し用の縦長のスリット３５７Ａが形成されている。ベルト３８０は、図９に示すように、ロック機構収容凹部３５６側から一端が一方の挿通孔３５６Ａを通して腹当接部３５１の裏側に引き出され、ベルト３８０の他端も同様に他方の挿通孔３５６Ｂを通して腹当接部３５１の裏側に引き出されている。ベルト３８０の各端部は収容部３１１の背もたれ部３１１Ａに固定されている。
【００４５】
空間Ｓ’内においてベルト３８０は、詳しくは後述するがベルトロック機構４００を介して、その一部分がリッド３５７のスリット３５７Ａから外側に引き出され、スリット３５７Ａから引き出されたベルト部位には、取っ手３５８が取り付けられている。この取っ手３５８を摘んで外方向に引くと、ガード３５０と背もたれ部３１１Ａとの間のベルト３８０がガード３５０内に引き込まれて、ガード３５０と背もたれ部３１１Ａとの間のベルト長が短くなるようになっている。ガード３５０と背もたれ部３１１Ａとの間のベルト長は、ロック機構収容凹部３５６内に収容されているベルトロック機構４００によって、調節した長さを維持できるようになっている。即ち、ベルトロック機構４００によりベルト３８０がロックされているときは、取っ手３５８を摘んで引いても、ガード３５０と背もたれ部３１１Ａとの間のベルト長を容易に短くしたり或いは逆にそれらの間のベルト長を容易に長くすることもできない。
【００４６】
次に、本発明の実施形態に係るベルトロック機構４００について詳述する。
ベルトロック機構４００は、ベースプレート４１０と、ベースプレート４００に回動可能に支持された回動部材４２０と、回動部材４２０に付勢力を与える弾性部材４３０と、を備えている。
ベースプレート４１０は、横長の長方形状に形成されており、その中央にベルト挿通用に縦長に形成されたスリット４１１と、このスリット４１１に隣接してプレート表面から略直方体形状に膨出し回動部材４２０を回動可能に支持する支持部４１２と、この支持部４１２に対してスリット４１１を挟んで対向する位置でプレート表面から膨出しスリット４１１の縁からスリット４１１から離れるにしたがって高くなる斜面４１３Ａを有する傾斜部４１３と、を備えている。支持部４１２と傾斜部４１３とは、ベースプレート４１０に一体成形されている。
【００４７】
ベースプレート４１０の四隅には、リッド３５７の内面から立設した連結用の第１凸部３５７Ｂを受容する受け部４１４が形成されており、さらに、各受け部４１４の反対側からはロック機構収容凹部３５６に形成されたベースプレート取付穴３５６Ｃに嵌入する第２凸部４１５が突出形成されている。これら第１凸部３５７Ｂ、受け部４１４、ベースプレート取付穴３５６Ｃ、第２凸部４１５には、例えばガード３５０の腹当接部３５１の裏面から連通するネジ穴（図示省略）が形成されていて、それらにネジ（図示省略）を螺着させることで、ベルトロック機構４００が、ロック機構収容凹部３５６とリッド３５７とで画成される空間Ｓ’内で固定される。
【００４８】
ベースプレート４１０に形成されている支持部４１２には、上面と下面に、後述する回動部材４２０の軸４２５を回転可能に支持する軸受け部４１２Ａが形成されている。また、ベースプレート４１０の支持部４１２に隣接したプレート表面には、弾性部材４３０の位置を規制する環状に突出した位置決め部４１６が形成されている。
【００４９】
回動部材４２０は四角型の枠状に形成されており、その一方の縦枠部４２１の表面には突出部４２１Ａが一体成形されており、他方の縦枠部４２２の裏面には断面半円状の摩擦部４２２Ａが一体成形されている。回動部材４２０の上下の各横枠部４２３，４２４の内周面には、回動部材４２０の回動の中心となる一対の軸４２５が対向するように形成されている。
【００５０】
回動部材４２０は、その一対の軸４２５がそれぞれベースプレート４１０の支持部４１２に形成された軸受け部４１２Ａに嵌入することで、ベースプレート４１０に取り付けられる。回動部材４２０がベースプレート４１０に取り付けられると、回動部材４２０の摩擦部４２２Ａは、ベースプレート４１０の支持部４１２と傾斜部４１３との間の空間Ｐ内に配設される。なお、回動部材４２０の回動によって、摩擦部４２２Ａが、スリット４１１に対して近接したり、離れたりするように、空間Ｐ内を移動する。
【００５１】
このように回動可能にベースプレート４１０に支持された回動部材４２０に、付勢力を与える弾性部材４３０が、位置決め部４１６の上に設置されている。この位置決め部４１６は、回動部材４２０の突出部４２１Ａの裏側に対応したベースプレート４１０の位置に設定されている。これにより、弾性部材４３０は、回動部材４２０とベースプレート４１０とに挟持される。
【００５２】
弾性部材４３０は、図示例ではコイル状のバネであり、このバネは、自然長よりも圧縮した状態で回動部材４２０とベースプレート４１０との間に挟持されている。なお、弾性部材４３０は、コイル状のバネに限定されるものではなく、圧縮するとそれに反発して伸張する方向に反作用が生ずるものであれば、弾性部材４３０として利用することができるのは勿論である。
【００５３】
回動部材４２０は、弾性部材４３０によって軸４２５を中心として突出部４２１Ａ側が外側に常に付勢されるようになっている。突出部４２１Ａが弾性部材４３０によって外側方向に常に付勢力が働いていることから、押しボタンとして機能する。このボタンを押すことで、回動部材４２０が軸４２５まわりに回動して、摩擦部４２２Ａがスリット４１１から遠ざかり、摩擦部４２２Ａとスリット４１１との間隔が拡開する。なお、傾斜部４１３の斜面４１３Ａは、摩擦部４２２Ａの移動の妨げにならないように、その傾斜角度が選定されている。
【００５４】
このようにベルトロック機構４００は、ベースプレート４１０と、回動部材４２０と、弾性部材４３０とを組み合わせて構成されていて、前述したように、ベースプレート４１０の四隅に形成されている受け部４１４と第２凸部４１５とをそれらに嵌合する第１凸部３５７Ｂとベースプレート取付穴３５６Ｃに嵌合させ、更に例えばネジによって相互に強固に連結させることで、ベルトロック機構４００は、ロック機構収容凹部３５６とリッド３５７とで画成される空間Ｓ’内に固定される。なお、ベルトロック機構４００のボタンとして機能する突出部４２１Ａがガード表面に現れるように、リッド３５７には突出部用の窓部３５７Ｃが開設されている。
【００５５】
空間Ｓ’内にベルトロック機構４００が収容されている状態において、回動部材４２０の突出部４２１Ａを押すことで、摩擦部４２２Ａとベースプレート４１０のスリット４１１との間に空隙が生ずるが、回動部材４２０が弾性部材４３０によって付勢されている通常状態では、摩擦部４２２Ａがスリット４１１及びそれに隣接した支持部４１２並びに傾斜部４１３の面に密着するようになっている。そして、図９に示すように、ベルトロック機構４００内において、ベースプレート４１０の裏側からスリット４１１を通りリッド３５７側に引き出されたベルト３５８は、摩擦部４２２Ａと支持部４１２並びに傾斜部４１３の面との間を通ってリッド３５７のスリット３５７Ａに導かれている。
【００５６】
上記のようにベルトロック機構４００を構成することにより、回動部材４２０が弾性部材４３０から付勢力を受けている状態においては、回動部材４２０の摩擦部４２２Ａがベースプレート４１０のスリット４１１に近接し、即ち、摩擦部４２２Ａがスリット４１１に隣接した支持部４１２並びに傾斜部４１３に押し当てられている。これにより、ベルトロック機構４００内において、ベースプレート４１０の裏側からスリット４１１を通りリッド３５７側に引き出されたベルト３５８は、摩擦部４２２Ａとスリット４１１に隣接した支持部４１２並びに傾斜部４１３とに強固に挟み込まれている。
【００５７】
この状態において、取っ手３５７Ａを掴んで外側に引っ張っても、摩擦部４２２Ａとスリット４１１に隣接した支持部４１２並びに傾斜部４１３とによる摩擦力によって、ベルト３８０はロックされていて、容易に外側に引き出すことはできない。換言すると、摩擦部４２２Ａが回動部材の動作に連動して動く可動摩擦部として機能し、上記支持部４１２並びに傾斜部４１３はベースプレート４１０に固定的に配設された固定摩擦部として機能し、スリット４１１からリッド３５７側へ引き出されたベルト３８０は、可動摩擦部が固定摩擦部に押し当てられることで、可動摩擦部と固定摩擦部とに挟まれてロックされることになる。
【００５８】
以上のように構成されたショッピングカードの動作について説明する。なお、子供をチャイルドシート３００に座らせる場合を例に、本発明の構成部材の作用を説明する。
図１０に示すように、ガード３５０が背もたれ部３１１Ａ側に倒れている状態において、子供をチャイルドシート３００の座部３１１Ｂに座らせる場合には、先ず、ガード３５０のボタン、即ち回動部材４２０の突出部４２２Ａを押して、摩擦部４２２Ａをベースプレート４１０のスリット４１１から引き離し、ベルト３８０のロックを解除する。
【００５９】
ボタンを押しながら、ガード３５０を前方に押して、ガード３５０が回転軸３５４まわりに回転するように力を加える。これにより、ガード３５０の回転部３５３自体に軸３５４まわりに回転しようとする力が働く。
【００６０】
このとき、受容部３６０の凹部３６７内に入っていた回転止め３５５の突起部３５５Ｅが、凹部３６７の壁面に当たり、更に回転部３５３が回転しようとする方向に力が働くことで、回転止め３５５の突起部３５５Ｅが軸３５４側に向けて撓む。そして、回転止め３５５が撓んで、さらにガード３５０を前向きに移動させる力が作用することで、回転部３５３が回転する。回転部３５３の回転に伴ってガード３５０が回動し、ガード３５０の腹当接部３５１の移動につれて、ガード３５０のリッド３５７のスリット３５７Ａから外方に引き出されていたベルト３８０が、ガード３５０内部に引き込まれ、これに対応してガード３５０と背もたれ部３１１Ａとの間のベルト長が延びることになる。
【００６１】
回転部３５３の回転に伴って、回転止め３５５の突起部３５５Ｅはシート本体３１０の受容部３６０の湾曲部３６１を摺動する。さらに回転部３５３が回転し、回転止め３５５の突起部３５５Ｅがロック溝３６５上に来ると、図１１に示すように、突起部３５５Ｅがロック溝３６５に嵌入する。
【００６２】
突起部３５５Ｅがロック溝３６５に入った状態になると、ガード３５０が前方へ移動した位置でその姿勢が保持される。すなわち、ガード３５０を前方へ移動させてシート本体３１０とガード３５０との間を拡開させた際に、突起部３５５Ｅがロック溝３６５に入った状態でロックされることになり、前方へ移動させたガード３５０はその位置で姿勢が維持される。このようにシート本体３１０とガード３５０との間が拡開した状態で、子供をチャイルドシート３００の座部３１１Ｂに座らせる。
【００６３】
次に、子供を保護するガード３５０を所望の使用位置に設定する場合の操作について説明する。
座部３１１Ｂに子供を座らせたら、図１１に示すガード３５０を上記操作と逆に、背もたれ部３１１Ａへ倒すように、ガード３５０に力を加える。これにより、ガード３５０の回転部３５３自体に軸３５４まわりに回転しようとする力が働く。
【００６４】
このとき、受容部３６０のロック溝３６５に入っていた回転止め３５５の突起部３５５Ｅが、ロック溝３６５の壁面に当たり、さらに回転部３５３が回転しようとする方向に力が働くことで、回転止め３５５の突起部３５５Ｅが軸３５４側に向けて撓む。そして、回転止め３５５が撓んで、さらにガード３５０を背もたれ部３１１Ａ側へ移動させる力が作用することで、回転部３５３が回転する。
【００６５】
回転部３５３の回転に伴って、回転止め３５５の突起部３５５Ｅはシート本体３１０の受容部３６０の湾曲部３６１を摺動する。さらに回転部３５３が回転し、回転止め３５５の突起部３５５Ｅが凹部３６７上に来ると、図１０に示すように、突起部３５５Ｅが凹部３６７に入る。
【００６６】
そして、例えばガード３５０の腹当接部３５１を子供の腹部に当接させた状態において、ガード３５０のボタンを押して、ベルト３８０のロックを解除する。ベルト３８０のロックを解除した状態で、取っ手３５８を掴んで外方向に引っ張る。これにより、ガード３８０と背もたれ部３１１Ａとの間のベルト３８０をガード３５０内に引き込むと共に、リッド３５７のスリット３５７Ａから引き出す。
【００６７】
その後、ガード３５０と背もたれ部３１１Ａとの間のベルト長を適切な長さに調節したら、取っ手３５８を引っ張るのを止めると共に、ボタンの押圧も解除する。ボタンのプッシュ動作を止めると、回動部材４２０に弾性部材４３０の付勢力が働き、回動部材４２０の摩擦部４２２Ａがベースプレート４１０のスリット４１１に近接する。
【００６８】
即ち、摩擦部４２２Ａ（可動摩擦部）が該スリット４１１に隣接した支持部４１２並びに傾斜部４１３（固定摩擦部）に押し当てられる。これにより、ベルトロック機構４００内において、ベースプレート４１０の裏側からスリット４１１を通りリッド３５７側に引き出されたベルト３５８は、摩擦部４２２Ａ（可動摩擦部）とスリット４１１に隣接した支持部４１２並びに傾斜部４１３（固定摩擦部）とに強固に挟み込まれる。
【００６９】
この状態において、例えば、取っ手３５７Ａを掴んで外側に引っ張っても、ベルト３８０は、摩擦部４２２Ａ（可動摩擦部）とスリット４１１に隣接した支持部４１２並びに傾斜部４１３（固定摩擦部）とによる摩擦力によってロックされていて、容易に外側に引き出すことはできない。このようにベルト３８０をロックすることで、子供をチャイルドシート３００に着座させる作業が完了する。
【００７０】
本発明の実施形態に係るベルトロック機構４００では、簡素な構造にも拘わらず、ガード３５０の使用時におけるベルト３８０の引き出しを規制し、調節した長さを一定に維持することができる。
本実施形態に係るベルトロック機構４００は、図１３に示す従来のベルトロック機構６０と比較して、品質安定性を確保しながら、構成部品点数を低減することができて製造コストを安価にすることができる。また、本実施形態に係るベルトロック機構４００は組立も簡単であるので、図１３に示す複雑なベルトロック機構６０と異なり、製造作業も簡素化することができる。
【００７１】
本発明はその趣旨を逸脱しない範囲において様々な形態で実施することができる。たとえば、本発明のベルトロック機構が適用されるショッピングカートの構造は上記説明のものに限定されるものではない。
【００７２】
上述の実施形態では、本発明のガード回転ロック機構が、リクライニング機構を備えたチャイルドシートに適用される場合を例示したが、リクライニング機構の有無を問わないことは言うまでもない。また、チャイルドシート３００の収容部３１１を覆うカバー３１２も任意である。
【００７３】
また、本発明のベルトロック機構は、ショッピングカートに装備したチャイルドシートにだけ適用されるものではないことは勿論である。例えば、本発明のベルトロック機構は、ベビーカーのシートとそれに回転可能に取り付けたガードに適用することができるし、自動車に搭載して搭乗した子供が座るチャイルドシートに適用することもできる。また、屋内で使用する子供用ハイチェアなどにも本発明を適用できることは明らかである。
【図面の簡単な説明】
【００７４】
【図１】本発明の実施形態に係るショッピングカートを示す前方斜視図である。
【図２】図１のショッピングカートの後方斜視図である。
【図３】図１のショッピングカートの正面図である。
【図４】図１のショッピングカートの側面図である。
【図５】本発明の実施形態に係るチャイルドシートのガードを示す斜視図である。
【図６】図５のチャイルドシートの受容部周辺の構造を示す斜視図である。
【図７】本発明の実施形態に係るガードの分解斜視図である。
【図８】本発明の実施形態に係るガードの分解斜視図である。
【図９】本発明の実施形態に係るガードの断面図である。
【図１０】本発明の実施形態に係るガードと座部との連結構造を示す断面図である。
【図１１】本発明の実施形態に係るガードと座部との連結構造を示す断面図である。
【図１２】従来のチャイルドシートを示す斜視図である。
【図１３】従来のガード内蔵型のベルトロック機構を示す斜視図である。
【符号の説明】
【００７５】
１０  ショッピングカート
１００  カート本体
１１０  ベースフレーム
１１１Ｒ，１１１Ｌ  棒材
１１２  第１連結棒材
１１４  第１架設材
１１４Ｒ，１１４Ｌ  起立部
１１４Ｃ  横部
１１５  金属棒部
１１５Ａ  緩斜部
１１５Ｂ  段差部
１１５Ｃ  水平部
１１５Ｓ  ストッパー
１１８  緩衝部材
１２０  シート支持フレーム
１２１Ｒ，１２１Ｌ  第１垂直棒材
１２２Ｒ，１２２Ｌ  第１傾斜棒材
１２３  第２連結棒材
１３０  ハンドルフレーム
１３１Ｒ，１３１Ｌ  第２垂直棒材
１３２Ｒ，１３２Ｌ  第２傾斜棒材
１３３Ｒ，１３３Ｌ  第３傾斜棒材
１３４  第３連結棒材
１３５  第３横架材
１３８  グリップ
２００  走行輪
３００  チャイルドシート
３１０  シート本体
３１１  収容部
３１１Ａ  背もたれ部
３１１Ｂ  座部
３１１Ｃ  肘置きガード部
３１２  カバー
３５０  ガード
３５１  腹当接部
３５２  股当接部
３５３  回転部
３５３Ａ  貫通孔
３５３Ｂ，３６７  凹部
３５３Ｃ  孔
３５４  軸
３５５  回転止め
３５５Ａ  ベース部
３５５Ｂ  凸部
３５５Ｃ  湾曲部
３５５Ｄ  傾斜部
３５５Ｅ  突起部
３５６  ロック機構収容凹部
３５６Ａ，３５６Ｂ  ベルト挿通孔
３５６Ｃ  ベースプレート取付穴
３５７  リッド
３５７Ａ  スリット
３５７Ｂ  第１凸部
３５７Ｃ  窓部
３５８  取っ手
３６０  受容部
３６１  湾曲部
３６２  側壁
３６５  ロック溝
３７０  ヘッドサポート
３８０  ベルト
３９０  レバー
４００  ベルトロック機構
４１０  ベースプレート
４１１  スリット
４１２  支持部
４１２  傾斜部
４１２Ａ  軸受け部
４１３Ａ  斜面
４１４  受け部
４１５  第２凸部
４１６  位置決め部
４２０  回動部材
４２１，４２２  縦枠部
４２１Ａ  突出部
４２２Ａ  摩擦部
４２３，４２４  横枠部
４２５  軸
４３０  弾性部材
Ｓ  収容空間
【図１】
2007237814.tif 000003
【図２】
2007237814.tif 000004
【図３】
2007237814.tif 000005
【図４】
2007237814.tif 000006
【図５】
2007237814.tif 000007
【図６】
2007237814.tif 000008
【図７】
2007237814.tif 000009
【図８】
2007237814.tif 000010
【図９】
2007237814.tif 000011
【図１０】
2007237814.tif 000012
【図１１】
2007237814.tif 000013
【図１２】
2007237814.tif 000014
【図１３】
2007237814.tif 000015